(57)【特許請求の範囲】
【請求項１】
情報記録面が同心円状に分割されて、ビデオ信号及びオーディオ信号の記録領域が形成されるとともに、前記ビデオ信号の編集リストのデータの記録領域が形成されてなり、内周側と外周側とでほぼ等しい線記録密度によりビデオ信号及びオーディオ信号が記録されるディスク状記録媒体をアクセスする編集装置であって、
前記編集リストによる編集結果のビデオ信号に対応する副のオーディオ信号を前記ディスク状記録媒体に記録するオーディオ記録系と、
前記ディスク状記録媒体から前記副のオーディオ信号を再生するオーディオ再生系と、
前記オーディオ記録系の処理及び前記オーディオ再生系の処理に対応して、前記編集リストに従って、前記ディスク状記録媒体をアクセスして、前記ディスク状記録媒体より前記編集結果のビデオ信号を間欠的に再生し、該再生したビデオ信号を連続して出力するビデオ再生系と、
前記編集リストを一時蓄積する編集リスト記憶手段と、
前記編集リスト記憶手段に記憶した前記編集リストを前記ディスク状記録媒体に記録する編集リスト記録手段と、
前記編集リスト記憶手段に記憶した前記編集リストの変更を受け付ける操作手段とを有し、
前記オーディオ再生系は、
前記編集リスト記憶手段に記憶した前記編集リストに従って、前記ディスク状記録媒体より前記ビデオ信号を再生する前記ビデオ再生系による処理に対応して、前記ディスク状記録媒体から前記副のオーディオ信号を再生する
ことを特徴とする編集装置。
【請求項２】
前記オーディオ記録系は、
前記副のオーディオ信号を一時蓄積するオーディオ信号記憶手段と、
前記オーディオ信号記憶手段に蓄積した前記副のオーディオ信号を外部機器に出力するオーディオ信号出力手段と、
前記オーディオ信号記憶手段に蓄積した前記副のオーディオ信号を前記ディスク状記録媒体に記録するオーディオ信号記録手段とを有し、
前記ビデオ再生系は、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
前記編集リストに従って、前記ディスク状記録媒体をアクセスして、前記ディスク状記録媒体より前記編集結果のビデオ信号を間欠的に再生し、該再生したビデオ信号を連続して出力する
ことを特徴とする請求項１に記載の編集装置。
【請求項３】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項２に記載の編集装置。
【請求項４】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項１に記載の編集装置。
【請求項５】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項１に記載の編集装置。
【請求項６】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項２に記載の編集装置。
【請求項７】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項２に記載の編集装置。
【請求項８】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項３に記載の編集装置。
【請求項９】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項３に記載の編集装置。
【請求項１０】
情報記録面が同心円状に分割されて、ビデオ信号及びオーディオ信号の記録領域が形成されるとともに、前記ビデオ信号の編集リストのデータの記録領域が形成されてなり、内周側と外周側とでほぼ等しい線記録密度によりビデオ信号及びオーディオ信号が記録されるディスク状記録媒体をアクセスする編集装置であって、
前記編集リストによる編集結果のビデオ信号に対応する副のオーディオ信号を前記ディスク状記録媒体に記録するオーディオ記録系と、
前記ディスク状記録媒体から前記副のオーディオ信号を再生するオーディオ再生系と、
前記オーディオ記録系の処理及び前記オーディオ再生系の処理に対応して、前記編集リストに従って、前記ディスク状記録媒体をアクセスして、前記ディスク状記録媒体より前記編集結果のビデオ信号を間欠的に再生し、該再生したビデオ信号を連続して出力するビデオ再生系とを有し、
前記オーディオ記録系は、
前記副のオーディオ信号を一時蓄積するオーディオ信号記憶手段と、
前記オーディオ信号記憶手段に蓄積した前記副のオーディオ信号を外部機器に出力するオーディオ信号出力手段と、
前記オーディオ信号記憶手段に蓄積した前記副のオーディオ信号を前記ディスク状記録媒体に記録するオーディオ信号記録手段と、
前記編集リストを一時蓄積する編集リスト記憶手段と、
前記編集リスト記憶手段に記憶した前記編集リストを前記ディスク状記録媒体に記録する編集リスト記録手段と、
前記編集リスト記憶手段に記憶した前記編集リストの変更を受け付ける操作手段とを有し、
前記オーディオ再生系は、
前記編集リスト記憶手段に記憶した前記編集リストに従って、前記ディスク状記録媒体より前記ビデオ信号を再生する前記ビデオ再生系による処理に対応して、前記ディスク状記録媒体から前記副のオーディオ信号を再生する
ことを特徴とする編集装置。
【請求項１１】
前記ビデオ再生系は、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
前記編集リストに従って、前記ディスク状記録媒体をアクセスして、前記ディスク状記録媒体より前記編集結果のビデオ信号を間欠的に再生し、該再生したビデオ信号を連続して出力する
ことを特徴とする請求項１０に記載の編集装置。
【請求項１２】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項１０に記載の編集装置。
【請求項１３】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項１１に記載の編集装置。
【請求項１４】
前記ディスク状記録媒体は、
着脱可能に保持され、所定の撮像装置に装填して、前記ビデオ信号及びオーディオ信号が記録可能に形成された
ことを特徴とする請求項１０に記載の編集装置。
【請求項１５】
前記ディスク状記録媒体は、
着脱可能に保持され、所定の撮像装置に装填して、前記ビデオ信号及びオーディオ信号が記録可能に形成された
ことを特徴とする請求項１１に記載の編集装置。
【請求項１６】
前記ディスク状記録媒体は、
着脱可能に保持され、所定の撮像装置に装填して、前記ビデオ信号及びオーディオ信号が記録可能に形成された
ことを特徴とする請求項１２に記載の編集装置。
【請求項１７】
前記ディスク状記録媒体は、
着脱可能に保持され、所定の撮像装置に装填して、前記ビデオ信号及びオーディオ信号が記録可能に形成された
ことを特徴とする請求項１３に記載の編集装置。
【請求項１８】
情報記録面が同心円状に分割されて、ビデオ信号及びオーディオ信号の記録領域が形成されるとともに、前記ビデオ信号の編集リストのデータの記録領域が形成されてなり、内周側と外周側とでほぼ等しい線記録密度によりビデオ信号及びオーディオ信号が記録されるディスク状記録媒体に記録されたビデオ信号を編集する編集方法であって、
前記編集リストによる編集結果のビデオ信号に対応する副のオーディオ信号の記録及び前記副のオーディオ信号の再生に対応して、前記編集リストに従って、前記ディスク状記録媒体の外周側をアクセスして、前記ディスク状記録媒体より前記編集結果のビデオ信号を間欠的に再生し、該再生したビデオ信号を連続して出力し、
前記編集リストを編集リスト記憶手段に一時蓄積して保持し、
該編集リスト記憶手段に記憶した前記編集リストに従って、前記副のオーディオ信号を再生し、
該編集リスト記憶手段に記憶した前記編集リストの変更を受け付け、
該編集リスト記憶手段に記憶した前記編集リストを前記ディスク状記録媒体に記録する
ことを特徴とする編集方法。
【請求項１９】
情報記録面が同心円状に分割されて、ビデオ信号及びオーディオ信号の記録領域が形成されるとともに、前記ビデオ信号の編集リストのデータの記録領域が形成されてなり、内周側と外周側とでほぼ等しい線記録密度によりビデオ信号及びオーディオ信号が記録されるディスク状記録媒体に記録されたビデオ信号を編集する編集方法であって、
所定のオーディオ信号記憶手段を用いて、前記編集リストによる編集結果のビデオ信号に対応する副のオーディオ信号を編集し、前記ディスク状記録媒体に前記編集した副のオーディオ信号を記録し、
前記オーディオ信号記憶手段を用いた前記副のオーディオ信号の記録時、前記編集リストに従って、前記ディスク状記録媒体をアクセスして、前記ディスク状記録媒体より前記編集結果のビデオ信号を間欠的に再生し、該再生したビデオ信号を連続して出力し、
前記ディスク状記録媒体から前記副のオーディオ信号の再生時、該副のオーディオ信号の再生に対応して、前記編集リストに従って、前記ディスク状記録媒体をアクセスして、前記ディスク状記録媒体より前記編集結果のビデオ信号を間欠的に再生し、該再生したビデオ信号を連続して出力し、
前記編集リストを編集リスト記憶手段に一時蓄積して保持し、
該編集リスト記憶手段に記憶した前記編集リストに従って、前記副のオーディオ信号を再生し、
該編集リスト記憶手段に記憶した前記編集リストの変更を受け付け、
該編集リスト記憶手段に記憶した前記編集リストを前記ディスク状記録媒体に記録する  ことを特徴とする編集方法。
【請求項２０】
前記再生したビデオ信号をビデオ信号記憶手段に一時保持し、
前記オーディオ信号記憶手段を用いた前記副のオーディオ信号の編集時、又は前記編集した副のオーディオ信号の記録時、
前記副のオーディオ信号に対応する速度により、前記ビデオ信号記憶手段に一時保持し
たビデオ信号を出力する
ことを特徴とする請求項１９に記載の編集方法。
【発明の詳細な説明】
【０００１】
【発明の属する技術分野】
本発明は、編集装置及び編集方法に関し、例えば現場にて取材した番組を編集するフィールド編集システムに適用することができる。本発明は、ナレーション等のオーディオ信号を光ディスクの内周側に記録しながら、外周側に記録したビデオ信号を再生することにより、又はナレーション等のオーディオ信号を一旦記憶手段を用いて編集しながらビデオ信号を光ディスクより再生して直接に又は記憶手段を介して出力し、その後この編集したオーディオ信号を光ディスクに記録することにより、光ディスクを用いた編集装置においてもボイスオーバー記録できるようにする。
【０００２】
【従来の技術】
従来、放送局外のフィールドでなる取材現場等においては、取材した番組を簡易な編集システムで編集することにより、取材結果を迅速に放送できるようになされている。このような編集システムは、磁気テープによる取材内容を、中間の記録媒体でなるハードディスク装置に一旦記録して編集することにより、効率良く編集できるようになされている。
【０００３】
すなわちフィールドにおいて、２台のビデオテープレコーダを用いたいわゆるＡＢロール編集により取材結果を編集したのでは、磁気テープを早送り、巻き戻しして所望のカットを頭出しする作業等に時間を要し、その分編集作業に時間を要するようになる。
【０００４】
このため中間の記録媒体を用いる編集システムは、例えばカメラ一体型ビデオテープレコーダにより磁気テープに記録したビデオ信号及びオーディオ信号を、一旦、ハードディスク装置にダビングする。その後、このハードディスク装置上におけるビデオ信号及びオーディオ信号の再生により編集点を設定して編集リストを作成した後、この編集リストに従ってハードディスク装置に記録したビデオ信号及びオーディオ信号を磁気テープに記録する。
【０００５】
この編集システムでは、磁気テープを用いたＡＢロール編集の場合に比して、編集点の設定に要する時間を格段的に低減でき、その分例えば報道関係の取材結果を短時間で放送することができる。
【０００６】
【発明が解決しようとする問題】
ところがこの編集システムでは、磁気テープに記録されたビデオ信号及びオーディオ信号を中間の記録媒体にダビングするのに時間を要する。ちなみに、３０分の取材結果を例えば４倍速によりハードディスク装置に記録する場合でも、ハードディスク装置に記録するために７分３０秒もの時間を要することになる。
【０００７】
また編集結果についても、磁気テープに記録し直して放送局に持ち帰ることにより、この磁気テープにビデオ信号を記録し直すのにも時間を要することになる。
【０００８】
この種の時間を短縮して、従来に比して格段的に効率良く取材結果を処理することができれば、さらに一段とこの種のシステムの使い勝手を向上できると考えられる。
【０００９】
この場合に、磁気テープに代えて光ディスクでなる共通の記録媒体により、撮像から編集までの処理を実行すれば、ビデオ信号及びオーディオ信号の中間の記録媒体へのダビングの処理を省略できると考えられる。また光ディスクに編集リストを記録して放送局に持ち帰ることにより、編集結果を記録し直す作業も省略できると考えられる。また光ディスクにおいては、ランダムアクセスできることにより、ハードディスク装置にビデオ信号及びオーディオ信号を記録した場合と同様に、ノンリニア編集の処理も実行でき、これらにより編集作業を効率良く実行できると考えられる。
【００１０】
ところが光ディスクを使用する場合、いわゆるボイスオーバー記録することが困難になると考えられる。
【００１１】
すなわち磁気テープを用いた編集作業においては、編集したオーディオ信号を磁気テープに記録した後、ビデオ信号を編集して磁気テープに記録するプリボイスオーバー記録、又はビデオ信号を編集して磁気テープに記録した後、オーディオ信号を編集して磁気テープに記録するアフターボイスオーバー記録により、例えば取材内容にナレーション、バックグラウンドミュージック等を割り当てるようになされている。
【００１２】
これらのボイスオーバー記録は、何れも事前に磁気テープに記録されたオーディオ信号又はビデオ信号をモニタしながら、対応するビデオ信号又はオーディオ信号をアフターレコーディングするものであり、これにより光ディスクを用いた編集システムにおいてボイスオーバー記録するためには、光ディスクに記録されたビデオ信号又はオーディオ信号を再生しながら、オーディオ信号又はビデオ信号を光ディスクに記録する必要がある。
【００１３】
ところが光ディスクは、線速度一定の条件により駆動して、所望のデータを高密度記録できるようになされており、このように各領域に記録されたオーディオ信号及びビデオ信号を同時に記録再生することが困難で、これにより結局、ボイスオーバー記録することが困難になると考えられる。
【００１４】
本発明は以上の点を考慮してなされたもので、取材から編集までの過程を光ディスクにより処理する場合等においても、ボイスオーバー記録することができる編集装置及び編集方法を提案しようとするものである。
【００１５】
【課題を解決するための手段】
かかる課題を解決するため本発明においては、内周側と外周側とでほぼ等しい線記録密度によりビデオ信号が記録されたディスク状記録媒体をアクセスする編集装置に適用して、ディスク状記録媒体の最内周の領域に、ビデオ信号の編集リストのデータに加えて、この編集リストによる編集結果のビデオ信号に対応する副のオーディオ信号を記録し、この処理に対応して、先の編集リストに従って、ディスク状記録媒体より編集結果のビデオ信号を間欠的に再生して、連続するビデオ信号により出力する。
【００１６】
また編集結果のビデオ信号に対応する副のオーディオ信号を、一時蓄積して必要に応じて出力し、この一時蓄積した副のオーディオ信号をディスク状記録媒体に記録し、これらの処理において、ビデオ再生系により対応するビデオ信号を再生して出力する。
【００１７】
またビデオ再生系においても、再生したビデオ信号をビデオ信号記憶手段に一時保持し、オーディオ記録系の処理に対応して、副のオーディオ信号に対応する速度により、このビデオ信号記憶手段に一時保持したビデオ信号を出力する。
【００１８】
また編集方法において、内周側と外周側とでほぼ等しい線記録密度によりビデオ信号が記録されたディスク状記録媒体を使用するにつき、ディスク状記録媒体を、内周側の線速度により回転駆動して、内周側に、ビデオ信号の編集リストのデータ、この編集リストによる編集結果のビデオ信号に対応する副のオーディオ信号を記録し、この副のオーディオ信号の記録に対応して、編集リストに従って、ディスク状記録媒体の外周側をアクセスして、再生したビデオ信号を連続して出力する。
【００１９】
また内周側と外周側とでほぼ等しい線記録密度によりビデオ信号を記録するディスク状記録媒体をアクセスしてビデオ信号を編集する編集方法にあって、ディスク状記録媒体の所定領域に、ビデオ信号の編集リストのデータを記録し、所定の記憶手段を用いて、この編集リストによる編集結果のビデオ信号に対応する副のオーディオ信号を編集してディスク状記録媒体の所定領域に記録し、この編集時、ディスク状記録媒体の外周側をアクセスして、対応するビデオ信号を再生して出力する。
【００２０】
このとき再生したビデオ信号をビデオ信号記憶手段に一時保持し、オーディオ信号記憶手段を用いた副のオーディオ信号の編集時、又は編集した副のオーディオ信号を記録時、この副のオーディオ信号に対応する速度により出力する。
【００２１】
内周側と外周側とでほぼ等しい線記録密度によりビデオ信号が記録されたディスク状記録媒体をアクセスする編集装置に適用して、ディスク状記録媒体の最内周の領域に、ビデオ信号の編集リストのデータに加えて、この編集リストによる編集結果のビデオ信号に対応する副のオーディオ信号を記録すれば、外周側の領域においては、記録時に比して高転送速度によりビデオ信号を再生することができる。従ってこの処理に対応して、先の編集リストに従って、ディスク状記録媒体より編集結果のビデオ信号を間欠的に再生して、連続したビデオ信号により出力すれば、先に編集したビデオ信号をモニタしながら、副のオーディオ信号にナレーション等を割り当てて、いわゆるアフターボイスオーバー記録することができる。またこれとは逆に、オーディオ信号を記録した後、編集リストの操作によりプリボイスオーバー記録することができる。
【００２２】
また編集結果のビデオ信号に対応する副のオーディオ信号を、一時蓄積して必要に応じて出力し、この一時蓄積した副のオーディオ信号をディスク状記録媒体に記録すれば、何れの領域に副のオーディオ信号、ビデオ信号を記録する場合でも、オーディオ信号の蓄積手段に副のオーディオ信号を一時蓄積して副のオーディオ信号を編集する期間の間、所望の回転速度によりディスク状記録媒体を駆動して対応するビデオ信号を再生することができる。また必要に応じて短時間で編集の完了した副のオーディオ信号をディスク状記録媒体に記録することができる。これにより先に編集したビデオ信号をモニタしながら、副のオーディオ信号にナレーション等を割り当てて、いわゆるアフターボイスオーバー記録することができる。また先に副のオーディオ信号を編集して、オーディオ信号蓄積手段に蓄積した副のオーディオ信号を再生しながら、編集リストの操作によりビデオ信号を再生することができ、これによりプリボイスオーバー記録することができる。
【００２３】
さらにこの場合に、ビデオ再生系においても、再生したビデオ信号をビデオ信号記憶手段に一時保持し、オーディオ記録系の処理に対応して、副のオーディオ信号に対応する速度により、ビデオ信号記憶手段に一時保持したビデオ信号を出力すれば、オーディオ信号の編集時、頻繁にディスク状記録媒体の回転速度を切り換えることなく、このビデオ信号記憶手段に保持したビデオ信号をモニタしながら、編集処理することができる。またこのとき所望の速度により編集結果を確認することができる。さらに編集した副のオーディオ信号をディスク状記録媒体に記録するときにも、対応する速度によりビデオ信号をモニタすることができる。
【００２４】
また編集方法において、内周側と外周側とでほぼ等しい線記録密度によりビデオ信号が記録されたディスク状記録媒体を使用するにつき、ディスク状記録媒体を、内周側の線速度により回転駆動して、内周側に、ビデオ信号の編集リストのデータ、この編集リストによる編集結果のビデオ信号に対応する副のオーディオ信号を記録すれば、外周側の領域においては、記録時に比して高転送速度によりビデオ信号を再生することができる。従ってこの副のオーディオ信号の記録に対応して、編集リストに従って、ディスク状記録媒体の外周側をアクセスして、再生したビデオ信号を連続して出力して、いわゆるアフターボイスオーバー記録することができる。またこれとは逆に、オーディオ信号を記録した後、編集リストの操作によりプリボイスオーバー記録することができる。
【００２５】
またディスク状記録媒体をアクセスしてビデオ信号を編集する編集方法にあって、ディスク状記録媒体の所定領域に、ビデオ信号の編集リストのデータを記録し、所定の記憶手段を用いて、この編集リストによる編集結果のビデオ信号に対応する副のオーディオ信号を編集してディスク状記録媒体の所定領域に記録すれば、何れの領域に副のオーディオ信号、ビデオ信号を記録する場合でも、オーディオ信号の蓄積手段に副のオーディオ信号を一時蓄積して副のオーディオ信号を編集する期間の間、所望の回転速度によりディスク状記録媒体を駆動して対応するビデオ信号を再生することができる。また必要に応じて編集の完了した副のオーディオ信号を短時間でディスク状記録媒体に記録することができる。これにより先に編集したビデオ信号をモニタしながら、副のオーディオ信号にナレーション等を割り当てて、いわゆるアフターボイスオーバー記録することができる。また先に副のオーディオ信号を編集して、オーディオ信号蓄積手段に蓄積した副のオーディオ信号を再生しながら、編集リストの操作によりビデオ信号を再生することができ、これによりプリボイスオーバー記録することができる。
【００２６】
このとき再生したビデオ信号をビデオ信号記憶手段に一時保持し、オーディオ信号記憶手段を用いた副のオーディオ信号の編集時、又は編集した副のオーディオ信号の記録時、この副のオーディオ信号に対応する速度により出力すれば、オーディオ信号の編集時、頻繁にディスク状記録媒体の回転速度を切り換えることなく、この先に編集したビデオ信号をモニタしながら、編集処理することができ、またこのとき所望の速度により編集結果を確認することができる。さらに編集した副のオーディオ信号をディスク状記録媒体に記録するときにも、対応する速度によりビデオ信号をモニタすることができる。
【００２７】
【発明の実施の形態】
以下、適宜図面を参照しながら本発明の実施の形態を詳述する。
【００２８】
（１）第１の実施の形態
（１−１）第１の実施の形態の構成
図２は、本発明の第１の実施の形態に係る編集システムを示す平面図である。この編集システム１では、テレビジョンカメラ２を用いて光ディスク３に取材内容でなるディジタルビデオ信号及びディジタルオーディオ信号を記録する。さらに編集システム１では、取材が完了すると、テレビジョンカメラ２より光ディスク３を取り外して、例えば車載のビュアー４にこの光ディスク３を装填し、パーソナルコンピュータ５の制御により、またこのビュアー４を操作して光ディスク３に記録されたディジタルビデオ信号及びディジタルオーディオ信号を編集する。
【００２９】
このためテレビジョンカメラ２は、所望の被写体を撮像して得られるディジタルビデオ信号及びディジタルオーディオ信号を所定のフォーマットにより光ディスク３に記録し、ビュアー４は、この光ディスク３に記録されたディジタルビデオ信号及びディジタルオーディオ信号を再生して編集点の設定を受け付け、また必要に応じてボイスオーバー記録する。パーソナルコンピュータ５は、表示画面に表示されたメニューの操作により、ビュアー４の動作を制御し、また編集点の設定を受け付ける。さらにパーソナルコンピュータ５は、設定された編集点による編集リストを作成し、この編集リストをビュアー４により光ディスク３に記録する。
【００３０】
これによりこの編集システム１では、この光ディスク３を放送局に持ち帰り、この光ディスク３に記録された編集リストに従って、光ディスク３に記録された取材内容の編集結果を即座に放送できるようになされ、また必要に応じて直接ＳＮＧ回線等を介してこのビュアー４より放送局に編集結果を伝送できるようになされている。
【００３１】
図１は、この編集システム１に適用される光ディスク３を示す平面図である。この光ディスク３は、所定のカートリッジ３Ａに収納して保持され、これにより塵等の進入を有効に回避できるようになされている。さらに光ディスク３は、テレビジョンカメラ２又はビュアー４等の機器に装填されると、このカートリッジ３Ａに配置されたシャッターがスライドして情報記録面が露出するように形成され、これによりテレビジョンカメラ２、ビュアー４によりアクセスできるようになされている。
【００３２】
この光ディスク３は、両面に情報記録面を形成した、書き換え可能ないわゆる相変化型の光ディスクでなり、レーザービームのガイド溝を担うプリグルーブが蛇行して形成され、レーザービーム照射位置におけるこのプリグルーブの蛇行周期が一定周期になるように回転駆動して、ＺＣＬＶ（Zone Constant Linear Verocity)の条件により光ディスク３を回転駆動できるようになされている。
【００３３】
この光ディスク３は、内周側に、システムデータ領域ＡＲ１が形成される。ここでこのシステムデータ領域ＡＲ１は、同心円状に３つの領域ＡＲ１Ａ、ＡＲ１Ｂ、ＡＲ１Ｃに分割され、最内周の領域ＡＲ１Ａに、この光ディスクの製造時に記録された管理用データが記録される。ここでこの管理用データは、光ディスク３へのデータ記録時における最適光量、光ディスク３で共通のシリアル番号、光ディスク３にそれぞれ割り当てられた固有の識別データ等により構成される。
【００３４】
続く外周側の領域ＡＲ１Ｂには、光ディスク３に記録したディジタルビデオ信号及びディジタルオーディオ信号の管理用データが記録される。ここで管理用データは、ディジタルビデオ信号及びディジタルオーディオ信号による各ファイルの記録開始位置、記録終了位置でなるアドレス情報、記録開始時点及び記録終了時点のタイムコード、カメラマンにより設定される編集可能ファイルか否かの識別データ、撮像時の条件のデータにより構成される。ここで撮像時の条件のデータは、撮像した日時、場所、カメラマンの名前、テレビジョンカメラのセッティングデータにより構成され、セッティングデータは、テレビジョンカメラ２に設定されたホワイトバランス、利得、オーディオ信号のレベル設定、絞りのデータ等が記録される。これにより光ディスク３では、この領域ＡＲ１Ｂに記録された管理用データにより、光ディスク３に記録された各ファイルの履歴等を確認できるようになされている。
【００３５】
続く外周側の領域ＡＲ１Ｃは、編集用のデータが記録される。ここでこの編集用のデータは、ファイル形式により記録され、この光ディスク３に記録された各ファイルを編集する編集リストが記録される。なおこの編集リストは、各ファイルについて設定された編集点のデータが、タイムコード及びアドレスにより、遷移の形態（例えばカット編集、クロスフェード等）と共に、再生順序を記録されて形成される。これにより光ディスク３は、所望の編集リストを選択して、この選択した編集リストに従って記録した取材内容を順次再生できるようになされている。
【００３６】
これに対して外周側の領域ＡＲ２は、ユーザー領域に割り当てられ、ディジタルビデオ信号及びディジタルオーディオ信号が記録される。ここで光ディスク３は、プリグルーブ間に形成されたプリピットにより同心円状にゾーニングされ、２４個のゾーンが形成される。各ゾーンは、１８８０のトラックが形成され、最内周のゾーンには１トラック当たり１７個のセクタが割り当てられる。さらに、外周側のゾーン程１トラック当たりのセクタ数が順次増大し、最外周のゾーンでは、１トラック当たり４０個のセクタが割り当てられるようになされている。また各セクタには、２〔ＫＢ〕のデータを記録できるように構成され、これにより最内周のゾーン０には約６４〔ＭＢ〕のデータを記録できるようになされている。
【００３７】
このユーザー領域ＡＲ２は、内周側の２つのゾーン０、１による領域ＡＲＮが、ナレーション用のオーディオ信号を記録するナレーションデータの領域に割り当てられ、領域ＡＲ１Ｃに記録された編集リストによるディジタルビデオ信号に対して、このディジタルビデオ信号のナレーション、バックグランドミュージック等を記録する専用の領域に割り当てられる。
【００３８】
これに対してユーザー領域ＡＲ２の外周側の領域は、このセクタによるゾーニングとは無関係に、５つの領域に同心円状に分割され、各領域の最外周の領域がディジタルビデオ信号Ｖ１の記録領域に割り当てられ、各領域の内周側の各領域が、それぞれ４チャンネルのディジタルオーディオ信号Ａ１〜Ａ４の記録領域に割り当てられる。これによりこの光ディスク３では、例えば被写体を撮像する際の被写体及び周囲の音声（以下環境音と呼ぶ）、アナウンサーによる解説の音声、種々の言語による解説の音声、バックグラウンドミュージック等を、ディジタルビデオ信号に対応して記録できるようになされている。
【００３９】
図３は、テレビジョンカメラ２を示すブロック図である。このテレビジョンカメラ２は、光ディスク３を着脱可能に保持し、この光ディスク３にディジタルビデオ信号を記録し、またこのディジタルビデオ信号に付随する環境音のディジタルオーディオ信号、アナウンサーの音声によるディジタルオーディオ信号等を記録する。
【００４０】
すなわちテレビジョンカメラ２において、スレッド機構８は、サーボ回路９の制御により光ピックアップ７を光ディスク３の半径方向に可動する。光ピックアップ７は、所定の時間間隔で順次ユーザー領域ＡＲ２の各領域をアクセスし、これによりディジタルビデオ信号及びディジタルオーディオ信号をそれぞれ対応する記録領域に記録し、また各領域に記録されたディジタルビデオ信号及びディジタルオーディオ信号を再生する。また光ディスク３のアクセス開始時等においては、システムデータ領域ＡＲ１をシークするようになされている。
【００４１】
さらに光ピックアップ７は、光ディスク３にレーザービームを照射し、その戻り光を受光することにより、戻り光の光量に応じて信号レベルが変化する再生信号ＲＦを生成して出力する。
【００４２】
また記録時、光ピックアップ７は、スレッド機構８により、ユーザー領域ＡＲ２の各領域を順次循環的にシークして、かつ各領域においては外周側より順次内周側に変位して、ディジタルビデオ信号及びディジタルオーディオ信号を光ディスク３に熱記録する。これによりテレビジョンカメラ２では、光ディスク３を角速度一定の条件により回転駆動した際に、高転送レートにより記録されたデータを再生することができる外周側領域より、順次ディジタルビデオ信号及びディジタルオーディオ信号を光ディスク３に記録するようになされている。
【００４３】
サーボ回路９は、記録時、ＺＣＬＶの条件によりスピンドルモータ１０の回転を制御し、再生時、所定の回転速度による角速度一定の条件によりスピンドルモータ１０の回転を制御する。また光ピックアップ７をトラッキング制御及びフォーカス制御する。さらにサーボ回路９は、光ディスク３がこのテレビジョンカメラ２に装填されると、システム制御回路１３の制御により、スレッド機構８を駆動して光ピックアップ７を光ディスク３のシステムデータ領域ＡＲ１にシークさせる。これによりテレビジョンカメラ２では、事前に、システムデータ領域ＡＲ１に記録された各種管理用データをシステム制御回路１３で取得できるようになされている。またこれとは逆に、このテレビジョンカメラ２の電源遮断時、光ディスク３の排出時等において、サーボ回路９は、同様に、スレッド機構８を駆動して光ピックアップ７を光ディスク３のシステムデータ領域ＡＲ１にシークさせ、必要に応じてシステムデータ領域ＡＲ１に管理用データを追加記録できるようになされている。
【００４４】
カメラユニット１４は、被写体を撮像する光学系、この光学系を介して得られる被写体の像を撮像するＣＣＤ固体撮像素子、このＣＣＤ固体撮像素子の出力信号を信号処理してディジタルビデオ信号Ｖ１を出力する信号処理系により構成される。これらの信号処理において、カメラユニット１４は、カメラユニット１４に配置された制御回路の制御により、ホワイトバランス、利得、オーディオ信号のレベル、絞り等が設定されて撮像の条件が設定され、この設定された条件でなるセッティングデータＤＳをシステム制御回路１３に通知する。またカメラユニット１４は、ディジタルビデオ信号Ｖ１のタイムコードをシステム制御回路１３に通知する。
【００４５】
記録信号処理回路１１は、カメラユニット１４より出力されるディジタルビデオ信号Ｖ１を、２チャンネルのディジタルオーディオ信号Ａ１、Ａ２と共に記録信号ＳＲに変換して出力する。なおここでこの２チャンネルのディジタルオーディオ信号Ａ１、Ａ２のうち、１チャンネルのディジタルオーディオ信号Ａ１は、いわゆるフロントマイクによるステレオのディジタルオーディオ信号であり、一般に環境音が割り当てられる。また残る１チャンネルのディジタルオーディオ信号Ａ２は、いわゆるリアマイクによるディジタルオーディオ信号であり、例えばアナウンサーによる解説の音声が割り当てられる。これによりテレビジョンカメラ２では、光ディスク３に記録可能な４チャンネルのディジタルオーディオ信号Ａ１〜Ａ４のうち、２チャンネルのディジタルオーディオ信号を記録するようになされている。
【００４６】
すなわち記録信号処理回路１１は、カメラユニット１４より出力されるディジタルビデオ信号Ｖ１の信号レベルを補正し、またブランキング期間等の不要なデータを除去した後、ＭＰＥＧ（Moving Picture Experts Group）に規定のフォーマットにより順次データ圧縮して出力する。さらに記録信号処理回路１１は、このデータ圧縮されたビデオデータを所定のデータ単位でブロック化し、積符号形式の誤り訂正符号を付加してＥＣＣデータブロックを形成する。
【００４７】
また記録信号処理回路１１は、ディジタルオーディオ信号Ａ１及びＡ２の信号レベルを補正した後、積符号形式の誤り訂正符号を付加し、これによりオーディオデータについてもＥＣＣデータブロックを形成する。さらに記録信号処理回路１１は、このようにして生成したビデオデータ及びオーディオデータのＥＣＣデータブロックをそれぞれインターリーブ処理した後、光ディスク３の記録に適した変調方式によりチャンネルコーディングし、同期パターン、プリアンブル、ポストアンブル等のデータを付加して記録信号ＳＲに変換する。
【００４８】
この一連の処理において、記録信号処理回路１１は、所定データ量だけビデオデータＶ１よる記録信号ＳＲを出力すると、光ピックアップ７がシークに要する時間を間に挟んで、続いて第１チャンネルのディジタルオーディオ信号Ａ１による記録信号ＳＲを出力する。続いて記録信号処理回路１１は、光ピックアップ７がシークに要する時間を間に挟んで、続いて第２チャンネルのディジタルオーディオ信号Ａ２による記録信号ＳＲを出力し、光ピックアップ７がシークに要する時間を間に挟んで、再びビデオデータＶ１による記録信号ＳＲを出力する。
【００４９】
これによりテレビジョンカメラ２では、図１について上述した各領域にそれぞれ対応するビデオデータＶ１、オーディオデータＡ１、Ａ２を記録するようになされている。
【００５０】
再生信号処理回路１５は、光ピックアップ７より出力される再生信号ＲＦを信号処理して、ディジタルビデオ信号Ｖ１及びディジタルオーディオ信号Ａ１、Ａ２を再生し、ビューファインダ又は外部機器に出力する。これによりテレビジョンカメラ２では、必要に応じて撮像結果を即座にモニタできるようになされている。また再生信号処理回路１５は、光ディスク３が装填された直後の、光ピックアップ７がシステムデータ領域ＡＲ１をアクセスする際には、ディジタルビデオ信号Ｖ１及びディジタルオーディオ信号Ａ１、Ａ２に代えて、このシステムデータ領域ＡＲ１に記録された管理用データを再生してシステム制御回路１３に出力する。
【００５１】
すなわち再生信号処理回路１５は、光ピックアップ７より出力される再生信号ＲＦを波形等化して２値化した後、クロックを再生する。さらに再生信号処理回路１５は、このクロックにより再生信号ＲＦを順次アナログディジタル変換処理してディジタル再生信号を得、ＰＲＭＬの手法を適用してこのディジタル再生信号を処理して再生データを生成する。さらにこの再生データをデインターリーブ処理した後、誤り訂正処理、データ伸長し、これによりディジタルビデオ信号Ｖ１及びディジタルオーディオ信号Ａ１、Ａ２を再生する。これによりテレビジョンカメラ２では、光ディスク３に記録した取材結果をその場で確認できるようになされている。
【００５２】
システム制御回路１３は、このテレビジョンカメラ２の記録再生系を制御するマイクロコンピュータにより構成され、光ディスク３が装填されると、サーボ回路９、再生信号処理回路１５の動作を制御して、システムデータ領域ＡＲ１に記録された管理用データを取得する。
【００５３】
さらにシステム制御回路１３は、カメラマンにより録画ボタン１７が繰り返し押圧操作されると、この操作に応動して記録信号処理回路１１、サーボ回路９の動作を切り換え、これにより光ディスク３にディジタルビデオ信号Ｖ１、ディジタルオーディオ信号Ａ１、Ａ２を記録し、また光ディスク３への記録を中止する。このときシステム制御回路１３は、システムデータ領域ＡＲ１より取得した管理用データを基準にして、光ピックアップ７をシークさせ、これにより光ディスク３の未記録領域にディジタルビデオ信号Ｖ１、ディジタルオーディオ信号Ａ１、Ａ２を記録する。さらにこの録画ボタン１７の押圧操作に対応する録画開始の時点、録画終了の時点におけるタイムコード、光ディスク３のアドレスを内蔵のメモリに一時保持する。
【００５４】
またシステム制御回路１３は、操作子１９の操作により入力される撮像した日時、場所、カメラマンの名前のデータ、マーカーキー１９Ａの操作により編集可能ファイルか否かの識別データ、カメラユニット１４より通知されるセッティングデータＤＳを内蔵のメモリに一時保持する。システム制御回路１３は、このようにして内蔵のメモリに一時保持したデータにより、光ディスク３に記録した各ファイルの管理用データを形成し、光ディスク３の排出時等において、図示しない駆動回路を介してこれら管理用データを光ディスク３のシステムデータ領域に書き加える。
【００５５】
またシステム制御回路１３は、カメラマンが再生の操作ボタン等を操作すると、再生信号処理回路１５の動作を立ち上げ、これにより光ディスク３に記録されたファイルを必要に応じてモニタできるようにする。
【００５６】
図４は、このようにして取材現場にてビデオ信号及びオーディオ信号を記録した光ディスクを編集するビュアー４を示すブロック図である。ここで、ビュアー４は、ディスプレーに表示されたＧＵＩ（Graphical User Interface）により種々の操作子を操作して編集作業を実行できるようになされ、またビデオ信号についての編集内容を確認し、内蔵スピーカーによりオーディオ信号の編集結果を確認できるようになされている。
【００５７】
またビュアー４は、例えばＳＣＳＩ（Small Computer System Interface ）、Ｅｔｈｅｒｎｅｔ、ＩＥＥＥ (The Institute of Electrical and Electoronics Engineers,Inc.)１３９４等によりパーソナルコンピュータ５と接続され、このパーソナルコンピュータ５の制御により編集処理を実行し、編集内容を確認できるようになされている。
【００５８】
すなわちビュアー４において、光ピックアップ２０Ａ、２０Ｂは、それぞれスレッド機構により光ディスク３の半径方向に可動し、それぞれオーディオ信号及びビデオ信号の記録領域をアクセスする。これによりビュアー４では、異なる現場、時間において記録したディジタルビデオ信号とディジタルオーディオ信号とを同時並列的に再生できるようになされている。さらに光ピックアップ２０Ａは、システムデータ領域ＡＲ１、ナレーションデータの領域ＡＲＮをアクセスし、これらの領域ＡＲ１、ＡＲＮに記録された内容を再生し、また更新する。
【００５９】
スピンドルモータＭは、図示しないスピンドルサーボ回路の制御により、通常の記録時、光ディスク３をＺＣＬＶの条件により回転駆動する。これに対して通常の再生時、光ディスク３を角速度一定の条件で回転駆動する。ここでこの角速度一定の条件による場合、光ディスク３の回転速度は、ＺＣＬＶの条件によりシステムデータ領域ＡＲ１をアクセスする際の回転速度より高速度の、５０００〔rpm 〕に設定され、具体的にユーザー領域の最内周で５０〔Mbps〕のデータ転送速度により、最外周で１２０〔Mbps〕のデータ転送速度によりディジタルビデオ信号及びディジタルオーディオ信号を再生できるように設定される。
【００６０】
これによりビュアー４は、テレビジョンカメラ２において外周側より順次ディジタルビデオ信号及びディジタルオーディオ信号を優先的に記録する光ディスク３について、この優先的に記録された外周側の領域程、データ転送速度を増大してディジタルビデオ信号及びディジタルオーディオ信号を再生できるようにする。これによりビュアー４は、高転送速度により得られるビデオ信号及びオーディオ信号を間欠的に再生して連続したビデオ信号及びオーディオ信号により出力し、この間欠的な再生により発生する待ち時間を有効に利用して、光ピックアップ２０Ａ、２０Ｂをシークできるようになされている。
【００６１】
またスピンドルモータＭは、ナレーションによるオーディオ信号の編集時、ナレーションデータの領域ＡＲＮに割り当てられた回転速度により光ディスク３を回転駆動する。これによりビュアー４は、ナレーションデータの領域ＡＲＮに対応する線速度によりナレーションのオーディオ信号をこの領域ＡＲＮに記録する。またこの編集処理がアフターボイスオーバー記録の場合、これと同時並列的に、高転送速度による再生信号が得られる外周側領域よりビデオ信号を間欠的に再生して、この再生したビデオ信号を連続した時系列により出力する。
【００６２】
これに対してユーザー領域ＡＲ２の領域ＡＲＮ以外の領域に記録されたオーディオ信号又はビデオ信号を編集する場合、スピンドルモータＭは、一般の再生時における回転速度により光ディスク３を回転駆動し、編集リストが確定すると、システム制御回路２１の制御によりシステムデータ領域ＡＲ１について規定された回転速度により光ディスク３を回転駆動する。
【００６３】
このようにして回転駆動される光ディスク３に対して、オーディオ記録回路２２は、システム制御回路２１の制御により動作を切り換え、ナレーションによるオーディオ信号ＤＡ１、ＳＡ１により光ピックアップ２０Ａを駆動して、このオーディオ信号ＤＡ１、ＳＡ１を記録する。すなわちオーディオ記録回路２２において、アナログディジタル変換回路（Ａ／Ｄ）２３は、所定の増幅回路を介してマイクロフォンより入力されるオーディオ信号ＳＡ１を受け、アナログディジタル変換処理により例えばサンプリング出力４８〔ｋＨｚ〕、１６ビットのディジタルオーディオ信号を出力する。
【００６４】
オーディオプロセス２４は、外部入力のディジタルオーディオ信号ＤＡ１の信号レベルを補正して出力する。パッキング回路２５は、アナログディジタル変換回路２３又はオーディオプロセス２４より出力されるディジタルオーディオ信号をブロック化して出力する。
【００６５】
メモリ制御回路２６は、メモリ２７のアドレス制御により、パッキング回路２５の出力データを蓄積した後、時間軸圧縮して出力する。ここでメモリ制御回路２６は、転送速度約１．７〔Ｍｂｐｓ〕でなるオーディオデータを転送速度３５〔Ｍｂｐｓ〕により所定のタイミングで出力する。
ＥＣＣ回路２８は、これらディジタルオーディオ信号を構成するオーディオデータに誤り訂正符号を付加する。さらにＥＣＣ回路２８は、これらオーディオデータ及び誤り訂正符号をインターリーブ処理して出力する。
【００６６】
チャンネルコーディング回路２９は、ＥＣＣ回路２８の出力データをシリアルデータに変換した後、光ディスク３の記録に適した変調方式により変調する。さらにこのようにして生成された変調信号により光ピックアップ７の光量を間欠的に立ち上げ、これによりディジタルオーディオ信号を光ディスク３に記録する。これによりオーディオ記録回路２２は、ナレーション用のオーディオ信号ＳＡ１、ＤＡ１をナレーションデータの領域ＡＲＮに順次記録するようになされている。
【００６７】
なおこの実施の形態のように光ディスク３の領域を割り当ててビデオ信号及びオーディオ信号を記録する場合、光ディスク３のデータ総量を２６０〔ＭＢ〕程度とすると、ゾーン０は、約６４〔ＭＢ〕の容量が割り当てられ、内周側２つのゾーン０、１にナレーションデータの領域ＡＲＮを設定して、２０〜３０分程度、ナレーションを記録することができる。ちなみに、光ディスク３に記録された取材内容を編集した場合、実際に必要とされるナレーション用の時間は、２０分以下の短い時間になると考えられる。これに対してゾーン０とゾーン１とでは、光ディスク３の回転速度を５〔％〕程度変化させる必要がある。これによりこの実施の形態では、光ディスク３の回転速度の切り換えに要する時間が充分に短い時間になるようにナレーションデータの領域ＡＲＮを設定し、かつ実用上十分に長い時間、ナレーションを記録できるようになされている。ちなみにナレーション用に１０分程度を割り当てる場合、１つのゾーンにナレーションデータの領域ＡＲＮを割り当てて光ディスク３の回転速度の切り換えを不要にすることができる。
【００６８】
オーディオ再生回路３０は、システム制御回路２１の制御により動作を切り換え、光ピックアップ２０Ａより出力される再生信号ＲＦを波形等化して２値化した後、クロックを再生する。さらにオーディオ再生回路３０は、このクロックにより再生信号ＲＦを順次アナログディジタル変換処理してディジタル再生信号を得、ＰＲＭＬの手法を適用してこのディジタル再生信号を処理して再生データを生成する。さらにこの再生データをデインターリーブ処理した後、誤り訂正処理してディジタルオーディオ信号ＤＡ２により、又はアナログ信号によるオーディオ信号ＳＡ２により出力する。
【００６９】
この一連の処理において、オーディオ再生回路３０は、光ディスク３の回転速度に対応した高転送速度により得られる再生信号ＲＦを間欠的に処理して内蔵のメモリに保持し、連続したオーディオ信号により出力する。これによりビュアー４では、オーディオ記録回路２２により記録したナレーションの内容をオーディオ再生回路３０により確認できるようになされ、必要に応じて繰り返しナレーションを記録し直して、ボイスオーバー記録できるようになされている。またこのナレーションの記録時、事前に設定された編集リストに従って対応するビデオ信号をユーザー領域ＡＲ２より再生してモニタすることにより、アフターボイスオーバー記録できるようになされている。これに対して何らビデオ信号をモニタすることなくナレーションを記録した後、ビデオ信号を編集することにより、プリボイスオーバー記録できるようになされている。
【００７０】
すなわちビデオ再生回路３１は、システム制御回路２１の制御により動作を切り換え、図示しない前処理回路により、光ピックアップ２０Ｂより高転送速度で出力される再生信号ＲＦを間欠的に処理して再生データを生成する。すなわちこの前処理回路は、波形等化して２値化した後、クロックを再生する。さらにこのクロックにより再生信号ＲＦを順次アナログディジタル変換処理してディジタル再生信号を得、ＰＲＭＬの手法を適用してこのディジタル再生信号を処理して再生データを生成する。
【００７１】
チャンネルデコーディング回路３２は、チャンネルコーディング回路２９とは逆の処理により、間欠的に得られるこの再生データをパラレルデータに変換して出力する。ＥＣＣ回路３３は、このチャンネルデコーディング回路３２の出力データをデインターリーブ処理、誤り訂正処理して出力する。メモリ制御回路３４は、メモリ３５のアドレス制御により、間欠的に出力されるＥＣＣ回路３３の出力データをメモリ３５に一時蓄積し、連続したビデオデータにより出力する。
【００７２】
データ伸長回路３６は、このメモリ制御回路３４の出力データをデータ伸長して出力し、ビデオプロセス３７は、このデータ伸長回路３６の出力データを所定フォーマットにより外部機器に出力し、またモニタに表示する。
【００７３】
システム制御回路２１は、電源が起動されると、また光ディスク３が装填されると、光ピックアップ２０Ａをシステムデータ領域ＡＲ１にシークさせ、図示しない信号処理回路における再生信号ＲＦの処理により、このシステムデータ領域に記録された管理用データを取得する。これによりシステム制御回路２１は、この取得した管理用データを図示しないメモリに保持し、この管理用データを基準にして全体の操作を制御する。
【００７４】
すなわちシステム制御回路２１は、操作子の操作により、またパーソナルコンピュータ５の制御により、管理用データを基準にして光ピックアップ２０Ａ、２０Ｂをシークさせると共に、これらオーディオ記録回路２２、オーディオ再生回路３０、ビデオ再生回路３１の動作を制御して、また図示しないビデオ記録回路の動作を制御して、ユーザー領域ＡＲ２にビデオ信号及びオーディオ信号を記録し、またユーザー領域ＡＲ２に記録したビデオ信号及びオーディオ信号を再生する。なおシステム制御回路は、このようなビデオ信号、オーディオ信号の記録に対応して、メモリに保持した管理用データを更新し、光ディスク３の排出時等に、この保持した管理用データを光ディスク３に記録する。
【００７５】
このオーディオ信号の記録において、オペレータがボイスオーバー記録の処理を選択すると、オペレータの操作に応動して、光ディスク３の回転速度をナレーションデータの領域ＡＲＮに対応する回転速度に設定し、オーディオ記録回路２２により順次入力されるナレーションのオーディオ信号ＤＡ１、ＳＡ１を光ディスク３に記録する。
【００７６】
このときアフターボイスオーバー記録の作業により、事前に編集された編集リストによるビデオ信号をモニタしながらナレーションのオーディオ信号を記録する場合、システム制御回路２１は、メモリに保持した編集リスト３８、又は光ディスク３のシステムデータ領域を再生して取得した編集リストに従って、光ピックアップ２０Ｂをシークさせる。さらに内周側に比して高転送速度により得られる再生信号ＲＦをビデオ再生回路３１により間欠的に処理して、対応するビデオ信号をモニタに表示する。
【００７７】
またこのようにして光ディスク３に記録されたナレーションを確認する場合、オーディオ再生回路３０の動作を立ち上げ、ナレーションデータの領域ＡＲＮに記録したオーディオ信号を間欠的に再生し、連続したオーディオ信号により出力すると共に、アフターボイスオーバー記録と同様にしてビデオ信号を再生して出力する。
【００７８】
これに対してビデオ信号を編集する場合、オペレータの操作に応動してビデオ再生回路３１の動作を制御し、これにより光ディスク３に記録されたビデオ信号を再生して出力し、編集点の設定を受け付ける。さらに受け付けた編集点によりメモリにファイル名、タイムコード、編集点における遷移の形態等を記述した編集リスト３８を作成する。さらにオペレータの操作に応動して、このメモリに保持した編集リスト３８に従って、光ディスク３を再生し、編集リスト３８の更新を受け付ける。このようにして編集リスト３８が確定してオペレータが所定の操作子を操作すると、システム制御回路２１は、この編集リスト３８をシステムデータ領域ＡＲ１に記録する。
【００７９】
このビデオ信号の編集作業において、システム制御回路２１は、プリボイスオーバー記録により光ディスク３に記録されたオーディオ信号を参考にしてビデオ信号を編集する場合、オペレータの操作により、オーディオ再生回路３０を駆動し、対応するナレーションのオーディオ信号をモニタできるようにする。
【００８０】
またこのようにして作成された編集結果を確認する場合、アフターボイスオーバー記録の場合と同様にして、ナレーションデータの領域ＡＲＮに記録されたオーディオ信号、編集結果によりビデオ信号を再生して出力する。
【００８１】
（１−２）第１の実施の形態の動作
以上の構成において、この編集システム１は（図２）、テレビジョンカメラ２において、取材内容でなるディジタルビデオ信号、ディジタルオーディオ信号が光ディスク３に記録される。さらにこの光ディスク３がビュアー４に装填されて再生され、取材結果が確認され、さらにこの取材結果より作成した編集リストが光ディスク３に記録される。
【００８２】
これにより取材内容と、取材内容を編集した編集リストとを１の記録媒体で一元的に管理することができ、この光ディスク３を取材現場より持ち帰って編集リストに従って順次再生することにより、取材内容を速やかに放送に供することができる。また編集作業においては、光ディスク３を単にビュアー４に装填するだけで所望のカットを選択して編集作業を実行することができ、これにより編集に供する時間が従来に比して格段的に低減される。また編集後においても、いちいち磁気テープ等の記録媒体に記録し直す作業が省略される。
【００８３】
さらにこの光ディスク３においては、取材内容が編集に適するか否かの識別データ等が管理用データとして記録されることにより、その分編集作業時、これらの管理用データに基づいて記録されたディジタルビデオ信号及びディジタルオーディオ信号を選択的に再生して、編集作業の効率が図られる。
【００８４】
すなわちテレビジョンカメラ２においては（図３）、カメラユニット１４より出力されるディジタルビデオ信号Ｖ１が記録信号処理回路１１において所定のデータ処理を受けてＺＣＬＶの条件により光ディスク３に記録される。このときディジタルビデオ信号及びディジタルオーディオ信号は、ユーザー領域ＡＲ２の外周側領域に、外周側より順次循環的に記録される（図１）。これにより光ディスク３では、光ディスク３の両面に、角速度一定の条件により回転駆動して光ディスク３を再生した際に、高転送レートによりデータを再生することができる外周側領域より順次ディジタルビデオ信号及びディジタルオーディオ信号が同心円状に分割された各領域に記録される。
【００８５】
また光ディスク３への記録が完了すると、録画ボタン１７、操作子１９、マーカーキー１９Ａより検出される録画開始の時点、録画終了の時点におけるタイムコード、光ディスク３のアドレス、撮像した日時、場所、カメラマンの名前のデータ、編集可能ファイルか否かの識別データが、カメラユニット１４より通知されるセッティングデータＤＳと共に、光ディスク３に記録された各ファイル毎に、光ディスク３の内周側に割り当てられたシステムデータ領域ＡＲ１の第２の領域ＡＲ１Ｂに記録される（図１）。
【００８６】
またこのように光ディスク３に記録されたディジタルビデオ信号及びディジタルオーディオ信号は、テレビジョンカメラ２において、光ピックアップ７より得られる高転送速度による再生信号ＲＦが再生信号処理回路１５により間欠的に信号処理され、また交互に再生されて連続した信号として出力され、光ディスク３に記録された取材内容が必要に応じてこのテレビジョンカメラ２により確認される。
【００８７】
このようにして取材現場にて、テレビジョンカメラ２による取材を完了すると、この取材内容を記録した光ディスク３がビュアー４に装填され、ビュアー４及びパーソナルコンピュータ５により編集作業が実行される（図４）。ここでビュアー４において、電源が投入されると、又は光ディスク３が装填されると、光ディスク３は、光ピックアップ２０Ａによりシステムデータ領域ＡＲ１がアクセスされ、各ファイルの管理用データ、編集リスト３８等がシステム制御回路２１により取得される。
【００８８】
さらにオペレータがビュアー４に配置された操作子を操作すると、またはパーソナルコンピュータ５を操作すると、これらに応動してシステム制御回路２１が取得した管理用データを基準にして光ピックアップ２０Ａ、２０Ｂがシークしてテレビジョンカメラ２の場合と同様にして光ディスク３にディジタルビデオ信号、ディジタルオーディオ信号が記録され、また再生される。
【００８９】
このときオペレータによりボイスオーバー記録の処理が選択されると、オペレータの操作に応動して、光ディスク３の回転速度がナレーションデータの領域ＡＲＮに対応する回転速度に設定され、オーディオ記録回路２２により順次入力されるナレーションのオーディオ信号ＤＡ１、ＳＡ１が光ピックアップ２０Ａにより光ディスク３に記録される。
【００９０】
すなわちアナログディジタル変換回路２３により出力されるディジタルオーディオ信号、オーディオプロセス２４より出力されるディジタルオーディオ信号がパッキング回路２５により所定のブロック単位で区切られ、続くメモリ２７、メモリ制御回路２６により時間軸圧縮される。さらにＥＣＣ回路２８により誤り訂正符号が付加された後、インターリーブ処理されてチャンネルコーディング回路２９に出力され、このチャンネルコーディング回路２９により生成された記録信号により光ピックアップ２０Ａが駆動される。これにより光ディスク３のナレーションデータの領域ＡＲＮにナレーションのオーディオ信号ＳＡ１、ＤＡ１が間欠的に記録される。
【００９１】
このときアフターボイスオーバー記録の作業により、事前に編集された編集リストによるビデオ信号をモニタしながらナレーションのオーディオ信号を記録する場合、システム制御回路２１は、内蔵のメモリに保持した編集リスト３８、又は光ディスク３より取得した編集リスト３８に従って、ビデオ用に割り当てられた光ピックアップ２０Ｂを外周側の対応する領域にシークさせる。これによりナレーションの記録と同時並列的に、内周側に比して高転送速度により得られる再生信号ＲＦがビデオ再生回路３１により間欠的に処理されて対応するビデオ信号が表示される。
【００９２】
すなわちチャンネルデコーディング回路３２により再生データが得られ、この再生データがＥＣＣ回路３３により誤り訂正処理され、メモリ３５に蓄積される。これにより光ディスク３より再生されたビデオ信号は、高転送速度により間欠的にメモリ３５に格納され、連続したビデオ信号によりメモリ３５から出力される。さらに続くデータ伸長回路３６によりデータ伸長されて出力される。
【００９３】
このビデオ信号の再生において、間欠的にビデオ信号を再生して発生する待ち時間で光ピックアップ２０Ｂがシークされ、光ディスク３が編集リストに従って離散的にアクセスされ、連続したビデオ信号が出力される。これにより編集リストにより編集内容をモニタしながらナレーションを記録してアフターボイスオーバー記録の処理が実行される。
【００９４】
これに対してビデオ信号の編集が選択された場合、光ディスク３より取得した管理用データを基準にして、オペレータの操作に応動して光ピックアップ２０Ｂがシークされ、ビデオ再生回路３１によりビデオ信号が再生される。この場合も、高速度により回転される光ディスク３より高転送速度の再生信号ＲＦが得られ、この再生信号ＲＦが間欠的に処理されて連続したビデオ信号として出力される。
【００９５】
この再生したビデオ信号をモニタしたオペレータにより編集点が設定されると、メモリにこの編集点による編集リスト３８が作成され、オペレータの操作により、この編集リスト３８に従って光ディスク３が再生される。また編集点の変更により編集リスト３８が変更され、編集リスト３８が確定してオペレータが所定の操作子を操作すると、この編集リスト３８がシステムデータ領域ＡＲ１に記録される。
【００９６】
このビデオ信号の編集作業において、プリボイスオーバー記録により光ディスク３に記録されたオーディオ信号を参考にしてビデオ信号を編集する場合、オペレータの操作により、オーディオ再生回路３０が駆動され、対応するナレーションのオーディオ信号が再生される。これによりプリボイスオーバー記録による編集結果が光ディスク３に記録される。
【００９７】
これによりこの実施の形態ではオーディオ信号及びビデオ信号の何れを先に編集しても、何れかの編集結果をモニタしながら改めてビデオ信号及びオーディオ信号を編集し直すことができるようになされている。実際上、ビデオテープレコーダによる編集作業においては、一旦ナレーションによるオーディオ信号、編集結果でなるビデオ信号を磁気テープに記録した後は、改めてビデオ信号を編集し直すことが煩雑な欠点がある。
【００９８】
ところがこの実施の形態では、ナレーションのオーディオ信号を編集し直す場合には、アフターボイスオーバー記録と同様にして、またビデオ信号による編集結果を編集し直す場合には、プリボイスオーバー記録と同様にして、編集し直すことができる。
【００９９】
かくするにつきプリボイスオーバー記録の場合においても、アフターボイスオーバー記録の場合においても、ビュアー４においては、オーディオ再生回路３０によりナレーションデータの領域ＡＲＮに記録したオーディオ信号が間欠的に再生され、ビデオ再生回路３１により編集リストに従ってビデオ信号が間欠的に再生され、これらオーディオ信号及びビデオ信号が連続して出力される。
【０１００】
（１−３）第１の実施の形態の効果
以上の構成によれば、ナレーションによるオーディオ信号の記録領域を光ディスク３の内周側に配置し、このオーディオ信号の記録領域にナレーションのオーディオ信号を記録すると共に、編集リストに従って外周側に記録したビデオ信号を再生することにより、ボイスオーバー記録することができる。
【０１０１】
（２）第２の実施の形態
図５は本発明の第２の実施の形態に係る編集システムに適用されるビュアーを示すブロック図である。このビュアー４０では、ハードディスク装置（ＨＤＤ）４１を用いてナレーション用のオーディオ信号を編集した後、光ディスク３に記録する。なおこの図５に示す構成において、図４について上述した構成と同一の構成は、対応する符号を付して示し、重複した説明は省略する。
【０１０２】
すなわちオーディオ記録回路４２において、メモリ制御回路４３は、ナレーションの編集時、ＥＣＣ回路２８に代えて、メモリ２７に保持したオーディオ信号をハードディスク装置４１に一時蓄積し、また蓄積した内容を更新する。これによりビュアー４０では、ハードディスク装置４１に記録されたナレーションの内容を必要に応じて更新できるようになされている。またナレーションのプレビューにおいて、このハードディスク装置４１に一時蓄積したオーディオ信号をオーディオ再生回路３０に出力する。
【０１０３】
またメモリ制御回路４３は、ナレーションの内容が確定すると、オペレータの操作に応動して、ハードディスク装置４１に一時蓄積したオーディオ信号をＥＣＣ回路２８に出力し、これにより光ディスク３に記録する。このときメモリ制御回路４３は、オペレータの選択により、ナレーションによるオーディオ信号の実時間に対応した転送速度により、又は高速度により、ハードディスク装置４１に一時蓄積したオーディオ信号をＥＣＣ回路２８に出力する。
【０１０４】
この実施の形態において、図示しないシステム制御回路は、アフターボイスオーバー記録において、ナレーションによるオーディオ信号を実時間に対応した転送速度により光ディスク３に記録する場合、第１の実施の形態と同様にしてビデオ再生回路３１を駆動し、これにより対応する編集結果のビデオ信号ＳＶ２を出力する。これに対してハードディスク装置４１に一時蓄積したオーディオ信号を高速度で光ディスク３に記録する場合、ビデオ再生回路３１の動作を停止制御する。
【０１０５】
オーディオ再生回路３０は、ナレーションのプレビュー時、光ディスク３より得られるオーディオ信号に代えて、メモリ制御回路４３より入力されるハードディスク装置４１に一時蓄積したオーディオ信号を処理して出力する。すなわちオーディオ再生回路３０において、デパッキング回路３０Ａによりオーディオ信号を元の配列に戻した後、ディジタルアナログ変換回路３０Ｂによりアナログ信号によるオーディオ信号ＳＡ２に変換して出力し、またオーディオプロセス３０Ｃを介してディジタルオーディオ信号ＤＡ２により出力する。
【０１０６】
これによりビュアー４０では、ハードディスク装置４１に記録したナレーションを確認できるようになされ、必要に応じてハードディスク装置４１の内容を更新してナレーションを変更できるようになされている。
【０１０７】
図５に示す構成によれば、ハードディスク装置４１を用いてナレーションを編集した後、光ディスク３に記録することにより、高速度で光ディスク３に記録することができる。因みに、オーディオ信号を実時間に対応した転送速度により記録する場合、１．７〔Ｍｂｐｓ〕程度の転送速度でなることにより、ビデオ信号と同一の転送速度により高速度で記録するとして約１／２０の時間により記録することができる。これによりナレーションのオーディオ信号を光ディスク３に記録する期間の間、対応するビデオ信号をオペレータに提供しなくても、実用上に十分に短い時間でオーディオ信号を記録することができる。これによりナレーションデータの領域ＡＲＮを光ディスク３の内周側に割り当てなくても、第１の実施の形態と同様の効果を得ることができる。
【０１０８】
また、必要に応じてハードディスク装置４１をオーディオ信号の他の処理に利用して使い勝手を向上することができる。因みに例えば編集作業で頻繁に使用するオーディオ信号をハードディスク装置に記録して、作業時間を短縮することができる。
【０１０９】
（３）第３の実施の形態
図６は、本発明の第３の実施の形態に係る編集システムに適用されるビュアーを示すブロック図である。このビュアー５０では、第２の実施の形態の構成に加えて、編集結果でなるビデオ信号をハードディスク装置５１に一時蓄積し、必要に応じて光ディスク３より再生するビデオ信号に代えてこの一時蓄積したビデオ信号を出力する。なおこの図６に示す構成において、図４及び図５について上述した構成と同一の構成は、対応する符号を付して示し、重複した説明は省略する。
【０１１０】
すなわちハードディスク装置５１は、図示しないシステム制御回路の制御により、アフターボイスオーバー記録において、ナレーションによるオーディオ信号をオーディオ記録回路４２のハードディスク装置４１（図５）に蓄積する期間の間、ＥＣＣ回路３３より出力されるビデオ信号を蓄積する。さらにハードディスク装置５１は、オーディオ記録回路４２のハードディスク装置４１に蓄積されたオーディオ信号を光ディスク３に記録する期間の間、対応するデータ転送速度により、保持したビデオ信号を出力する。
【０１１１】
選択回路５３は、オーディオ記録回路４２のハードディスク装置４１にナレーションのオーディオ信号を記録する期間の間、またプレビューの間、ＥＣＣ回路３３より出力されるビデオ信号をメモリ制御回路３４に出力し、オーディオ記録回路４２のハードディスク装置４１に蓄積されたオーディオ信号を光ディスク３に記録する期間の間、ハードディスク装置５１より出力されるビデオ信号をメモリ制御回路３４に出力する。
【０１１２】
これによりこのビュアー５０では、ナレーションによるオーディオ信号をオーディオ記録回路４２のハードディスク装置４１に蓄積して、このナレーションの内容が確定した時点で、ハードディスク装置５１に編集結果に対応するビデオ信号が蓄積されるようになされ、この蓄積した内容を光ディスク３に記録するオーディオ信号に対応する転送速度により出力するようになされている。
【０１１３】
この実施の形態においてオーディオ再生回路３０は、システム制御回路の制御により、ハードディスク装置４１に蓄積したオーディオ信号を光ディスク３に記録する期間の間、このオーディオデータの転送に対応する転送速度により、ハードディスク装置５１に蓄積したビデオ信号を出力する。
【０１１４】
図６に示す構成によれば、第２の実施の形態の構成に加えて、ビデオ信号についてもハードディスク装置に一時蓄積できるようにすることにより、編集したナレーションによるオーディオ信号を高速度で光ディスク３に記録する際に、この転送速度に対応する速度により編集内容を確認することができる。これによりナレーション用のハードディスク装置の存在をオペレータに意識させることなく作業を実行させることができ、第２の実施の形態の効果に加えて、一段と使い勝手を向上することができる。
【０１１５】
また、必要に応じてハードディスク装置５１をビデオ信号の編集作業に利用して使い勝手を向上することができる。因みに、例えば選択回路５３に代えてミクサを適用して、プリリード編集等の特殊効果による編集作業において、ハードディスク装置５１をバッファメモリとして使用することができ、また再生結果に特殊効果を付与することもできる。また、タイトルバーを構成するビデオ信号、スーパーインポーズに使用するビデオ信号、頻繁に使用するビデオ信号等をハードディスク装置に記録して利用することにより、作業時間を短縮することができる。
【０１１６】
（４）他の実施の形態
なお上述の第２及び第３の実施の形態においては、ナレーションデータの領域をユーザー領域に内周に割り当てる場合について述べたが、本発明はこれに限らず、ハードディスク装置によりナレーションのオーディオ信号を編集して光ディスクに記録する場合、必要に応じてナレーションデータの領域を種々の箇所に割り当てるようにしてもよく、さらには所定チャンネルのオーディオ信号に代えてナレーションのオーディオ信号を記録してもよい。
【０１１７】
また上述の実施の形態においては、ユーザー領域において、ビデオ信号の記録領域、各チャンネルのオーディオ信号の記録領域を順次同心円状に形成する場合について述べたが、本発明はこれに限らず、ユーザー領域におけるビデオ信号及びオーディオ信号の割り当ては、必要に応じて種々に設定することができる。
【０１１８】
さらに上述の実施の形態においては、１チャンネルのビデオ信号、４チャンネルのオーディオ信号を光ディスクに記録する場合について述べたが、本発明はこれに限らず、種々のチャンネル数によりビデオ信号、オーディオ信号を記録する場合に広く適用することができる。
【０１１９】
さらに上述の実施の形態においては、最内周にシステムデータ領域を形成する場合について述べたが、本発明はこれに限らず、必要に応じて種々の領域にシステムデータ領域を形成する場合に広く適用することができる。
【０１２０】
また上述の実施の形態においては、オーディオ信号用、ビデオ信号用の１対の光ピックアップにより光ディスクをアクセスする場合について述べたが、本発明はこれに限らず、例えばオーディオ信号用、ビデオ信号用による２組の光ディスクをそれぞれ光ディスク３の各面に配置して、光ディスをアクセスする場合等に広く適用することができる。
【０１２１】
さらに上述の実施の形態においては、ＺＣＬＶにより光ディスクをアクセスす場合について述べたが、本発明はこれに限らず、線速度一定の条件により光ディスクを駆動してディジタルビデオ信号等を記録する場合に広く適用することができる。
【０１２２】
また上述の第２及び第３の実施の形態においては、ＥＣＣ回路２８に入力されるオーディオ信号をハードディスク装置に一時蓄積する場合について述べたが、本発明はこれに限らず、メモリ制御回路４３の入力側で、又はＥＣＣ回路２８の出力側で、オーディオ信号をハードディスク装置に一時蓄積してもよい。
【０１２３】
また上述の第３の実施の形態においては、ＥＣＣ回路の出力側でビデオ信号をハードディスク装置に一時蓄積する場合について述べたが、本発明はこれに限らず、ハードディスク装置に充分な容量を確保できる場合、データ伸長回路３６の出力側でビデオ信号をハードディスク装置に一時蓄積してもよく、さらには種々の箇所にハードディスク装置を配置してビデオ信号を一時蓄積してもよい。
【０１２４】
また上述の実施の形態においては、ディジタルビデオ信号をＭＰＥＧによりデータ圧縮して光ディスクに記録する場合について述べたが、本発明はこれに限らず、種々の手法によりデータ圧縮して記録する場合にも広く適用することができる。
【０１２５】
さらに上述の実施の形態においては、両面に記録可能な相変化型の光ディスクにディジタルビデオ信号及びディジタルオーディオ信号を記録する場合について述べたが、本発明はこれに限らず、両面に記録可能な光磁気ディスク、ライトワンス型の光ディスクを使用してもよく、十分な記録容量を確保できる場合、片面だけを使用するようにしてもよい。
【０１２６】
【発明の効果】
上述のように本発明によれば、ナレーション等のオーディオ信号を光ディスクの内周側に記録しながら、編集リストに従って外周側に記録したビデオ信号を再生することにより、又はナレーション等のオーディオ信号を一旦記憶手段を用いて編集しながらビデオ信号を光ディスクより再生して直接に又は記憶手段を介して出力し、その後この編集したオーディオ信号を光ディスクに記録することにより、光ディスクを用いた編集装置においてボイスオーバー記録することができる。
【図面の簡単な説明】
【図１】本発明の第１の実施の形態に係る編集システムに適用される光ディスクを示す平面図である。
【図２】図１の光ディスクが適用される編集システムを示す平面図である。
【図３】図２の編集システムのテレビジョンカメラを示すブロック図である。
【図４】図２の編集システムのビュアーを示すブロック図である。
【図５】第２の実施の形態に係る編集システムに適用されるビュアーを示すブロック図である。
【図６】第３の実施の形態に係る編集システムに適用されるビュアーを示すブロック図である。
【符号の説明】
１……編集システム、２……テレビジョンカメラ、３……光ディスク、４、４０、５０……ビュアー、５……パーソナルコンピュータ、７、２０Ａ、２０Ｂ……光ピックアップ、２２、４２……オーディオ記録回路、３０……オーディオ再生回路、３１、５２……ビデオ再生回路、ＡＲ１……システムデータ領域、ＡＲ２……ユーザー領域、ＡＲＮ……ナレーションデータの領域
【図１】
0004279913.tif 000002
【図２】
0004279913.tif 000003
【図３】
0004279913.tif 000004
【図４】
0004279913.tif 000005
【図５】
0004279913.tif 000006
【図６】
0004279913.tif 000007